(57)【要約】【課題】本考案は血圧計と組合せて使用する、腕帯の改良構造に関する。【解決手段】空気袋を有し、当該空気袋の表面に帯体を覆う。当該帯体の表面は第１、第２と第３貼り付け面を順番に設ける。そのうち、第１貼り付け面は単一材質より構成し、当該第２貼り付け面は２種類の異なる材質の貼り付け部より構成する。当該第１、第２貼り付け部は、互いに貼り付けできるほか、そのうち一つの貼り付け部は第１貼り付け部の貼り付け面と同じ材質を使用する。さらに、第３貼り付け面の貼り付け部は第２貼り付け面の貼り付け部と異なる方向に配列し、互いに貼り付けする。【選択図】図３
0003129027.tif 000002
【実用新案登録請求の範囲】
【請求項１】
血圧計と組合せて使用する腕帯の改良構造において、
空気を注入する空気袋と、
前記空気袋の表面を覆い、利用者の腕部に巻き付け可能で、表面に第１、第２及び第３貼り付け面を設けた、帯体と、を備え、
前記第１貼り付け面は、単一の材質より構成し、
前記第２貼り付け面は、隣接部分の材質が異なるように配列された第１、第２貼り付け部より構成され、当該第１、第２貼り付け部は互いに貼り付けることができ、かつ、当該第１、第２貼り付け部のうちいずれか一つの貼り付け部は、第１貼り付け面と同じ材質を有し、
前記第３貼り付け面は、第１、第２貼り付け部を有し、当該第１、第２貼り付け部は、第２貼り付け面に貼り付けることができるように、当該第２貼り付け面の配列と異なる配列としてあることを特徴とする、
血圧計と組合せて使用する腕帯の改良構造。
【請求項２】
前記帯体を腕部に巻き付ける際の巻き付け部分の面積を調節するための締結リングを当該帯体に設けることを特徴とする、請求項１記載の血圧計と組合せて使用する腕帯の改良構造。
【請求項３】
前記第１、第２、第３貼り付け面にベルクロベルトを使用することを特徴とする、請求項１記載の血圧計と組合せて使用する腕帯の改良構造。
【考案の詳細な説明】
【技術分野】
【０００１】
本考案は血圧計と組合せて使用する腕帯の改良構造に関し、特に隣接する部分の材質が異なる貼り付け部を帯体に設けて利用者の上腕に巻き付け、利用者上腕の大きさに従って巻き付け部分の面席を調節して上腕に密着して巻き付けることが可能で、血圧測定の際、空気袋に空気注入し加圧しても帯体が抜けることなく、血圧測定を順調に行うことのできる腕帯の構造に関するものである。
【背景技術】
【０００２】
従来の血圧計のカフは図１、２に示すとおり、当該血圧計に多岐管を設け、当該多岐管の一端は加圧装置に連結（図示せず）し、他端は上腕又は腕部に巻き付ける空気袋１００に連絡する。
【考案の開示】
【考案が解決しようとする課題】
【０００３】
空気袋１００の表面に腕帯２００を設け、当該腕帯２００の一端に締結リング２０１を設ける。当該締結リング２０１は腕帯２００の他端を挿入し、上腕の大きさにより調節し巻付ける（図１）。当該腕帯２００の表面はさらに、第１、第２貼り付け面２１０、２１１を設け、当該第１貼り付け面２１０と第２貼り付け面２１１の材質が異なる。当該第１、第２貼り付け面２１０、２１１は互いに貼り付けることができる。
【０００４】
一方、当該空気袋１００は利用者の腕部の大きさに合わせて、一般タイプと大きいタイプに分ける。そのうち、一般タイプ（腕周り９〜１３インチ）は、東洋人の体型又は標準な西洋人の使用に、大きい寸法は（腕部周り１３〜１７インチ）は、体型の大きい方の使用に提供する。
【０００５】
しかしながら、生産のコスト効果を追求するため、業者は空気袋１００を生産するとき、利用者の様々な上腕の大きさで使用するため、同じサイズ（すなわち、大きい空気袋）を使用する。血圧測定のとき、利用者それぞれの腕部周りの大きさに調節して、腕部に巻き付ける。図２に示すとおり、腕部周りの大きさが一般サイズのとき、腕帯２００は巻き付けるとき、第１貼り付け面２１０の一部は締結リング２０１を通した後、折り畳んで当該第１貼り付け面２１０を同じ材質の第１貼り付け面２１０に貼り付ける。
【０００６】
一方、腕部周りの大きさが大きいとき、腕帯２００を巻き付けるとき、第２貼り付け面２１１の一部は締結リング２０１を通せないまま、折り畳んだ第２貼り付け面２１１は同じ材質の第２貼り付け面２１１に貼り付ける。そこで、粘着不十分により、血圧測定のとき、空気袋を加圧すると腕帯２００が抜けて、血圧測定が不正確になりかねない。
【０００７】
従来の血圧計の空気袋は、様々な腕部周りの大きさを巻き付けるとき、緊密に粘着できないため、空気袋に空気を注入加圧により、腕帯が抜けるによる血圧測定の不正確が発生する。本考案人はこれを鑑みて、その欠点を改善すべく方法により、合理な解決道を図るため、研究、解析、設計を繰り返した結果、本考案の血圧計と組合せて使用する、腕帯の改良構造を考案した。
【課題を解決するための手段】
【０００８】
主に空気袋を有し、当該空気袋の表面に帯体を覆う。当該帯体の表面は第１、第２と第３貼り付け面を順番に設ける。そのうち、第１貼り付け面は単一材質より構成し、当該第２貼り付け面は２種類の異なる材質の貼り付け部より構成する。当該第１、第２貼り付け部は、互いに貼り付けできるほか、そのうち一つの貼り付け部は第１貼り付け部の貼り付け面と同じ材質を使用する。さらに、第３貼り付け面の貼り付け部は第２貼り付け面の貼り付け部と異なる方向に配列し、互いに貼り付けする。血圧測定のとき、帯体を利用者の上腕部に巻き付けて、帯体は締結リングを通して、上腕の大きさに合わせる。第２、第３貼り付け面は第１貼り付け面に向かって折り曲げるとき、隣接部材の材質が異なる貼り付け部により、確実に貼り付けた状態で利用者上腕の周りに巻き付けて、一般並びに大きい上腕サイズに適用できる。なお、空気袋加圧のときに抜けることがなく、血圧測定を順調に行うことを図る、一種の血圧計と組合せ使用の腕帯構造改良を提供することを本発明の主な目的である。前記した第１、第２、第３粘着面はベルクロ又は面ファスナーを使用しても良い。
【０００９】
すなわち、本考案の第１考案は、血圧計と組合せて使用する、腕帯の改良構造において、空気を注入する空気袋と、前記空気袋の表面を覆い、利用者の腕部に巻き付け可能で、表面に第１、第２及び第３貼り付け面を設けた、帯体と、を備え、前記第１貼り付け面は、単一の材質より構成し、前記第２貼り付け面は、隣接部分の材質が異なるように配列された第１、第２貼り付け部より構成され、当該第１、第２貼り付け部は互いに貼り付けることができ、かつ、当該第１、第２貼り付け部のうちいずれか一つの貼り付け部は、第１貼り付け面と同じ材質を有し、前記第３貼り付け面は、第１、第２貼り付け部を有し、当該第１、第２貼り付け部は、第２貼り付け面に貼り付けることができるように、当該第２貼り付け面の配列と異なる配列としてあることを特徴とする、血圧計と組合せて使用する腕帯の改良構造であることを要旨としている。
【００１０】
また、本考案の第２考案は、前記帯体を腕部に巻き付ける際の巻き付け部分の面積を調節するための締結リングを当該帯体に設けることを特徴とする、本考案の第１考案に記載の血圧計と組合せて使用する腕帯の改良構造であることを要旨としている。
【００１１】
また、本考案の第３考案は、前記第１、第２、第３貼り付け面にベルクロベルトを使用することを特徴とする、本考案の第１考案に記載の血圧計と組合せて使用する腕帯の改良構造であることを要旨としている。
【考案の効果】
【００１２】
本考案の血圧計と組合せて使用する、腕帯の改良構造は、構造が単純のほか、機能性を有し、コストを低減でき、効果を向上できる。
【考案を実施するための最良の形態】
【００１３】
［実施例］
図３、４に示すとおり、本考案の血圧計と組合せて使用する腕帯の改良構造は、空気注入するための空気袋１０を設け、当該空気袋１０の表面に帯体２０を設けて、被測定者の上腕を巻き付け可能に構成される。当該帯体２０の一端には締結リング２０１を設け、他端が締結リング２０１をした後、帯体２０に折り畳むことにより、帯体２０を腕部の大きさに合わせて調節することができる。当該空気袋１０の所定位置にはコネクタ１１を設け、当該コネクタ１１は血圧計の加圧装置（図示せず）に連結する。
【００１４】
当該帯体２０の表面は第１、第２と第３貼り付け面２１、２２と２３を順番に設ける。本実施例においては、ベルクロベルトを使用する。そのうち、第１貼り付け面２１は単一材質より構成し、当該第２貼り付け面２２は隣接する部分が異なる材質である第１、第２貼り付け部３０、４０より構成する。当該異なる材質の貼り付け部３０、４０を互いに貼り合わせるほか、そのうち一つの貼り付け部は第１貼り付け面２１と同じ材質を使用するものとする。本実施例において、第１貼り付け部３０と第１貼り付け面２１と同じ材質を使用する。さらに、第３貼り付け面２３は第２貼り付け面２２と同じ材質の第１、第２貼り付け部３０、４０より構成する。ただし、第３貼り付け面２３に備える第１、第２貼り付け部３０、４０は第２貼り付け面２２の第２、第１貼り付け部４０、３０と異なる配列にし、互いに貼り付けることができる。
【００１５】
使用時には、図４に示すとおり、利用者の腕部周りの大きさが一般サイズのとき、帯体２０を利用者の腕部に巻き付けて、帯体２０の一端を締結リング２０１に通した後、第１貼り付け面２１方向に折り畳む。これにより、第２、第３貼り付け面２２、２３と第１貼り付け面２１の一部の区域は締結リング２０１を通した後折り畳み状態になる。折り畳んだ第１貼り付け面２１と折り畳んでいない第１貼り付け面２１は、同じ材質のため、貼り合わせることができない。しかし、第２、第３貼り付け面２２、２３に備える第１貼り付け面２１材質と異なる第２貼り付け部４０により、第１貼り付け面２１に貼り付けることができる。これにより、空気袋１０は空気注入加圧のとき抜け出す心配がなく、血圧測定を順調行える。前記した第１、第２、第３粘着面はベルクロを使用しても良い。
【００１６】
図５に示すとおり、利用者の腕が太いとき、帯体２０を利用者の腕部に巻き付けて、帯体２０の一端を締結リング２０１に通した後、第１貼り付け面２１（図示せず）方向に折り畳む。これにより、第３貼り付け面２３だけが締結リング２０１と一緒に折り畳み（折り畳み区域は腕の太さによる。本実施例はそのうちの一種を示す）、折り畳む第３貼り付け面２３の第１、第２貼り付け部３０、４０は第２貼り付け面２２の第１、第２貼り付け部３０、４０と異なる配列にし、互いに貼り付けることができる。これにより、空気袋１０（図示せず）は空気注入加圧のときに抜けることなく、血圧測定を順調に行える。
【００１７】
このように、血圧測定のとき、帯体２０を利用者の腕部に巻き付けてから、帯体２０を利用者腕部の太さにより調節し、折り畳むときは、第２、第３貼り付け面２２、２３の異なる配列とした第１、第２貼り付け部３０、４０により、利用者の腕部へ確実に巻き付けることができる。前記した第１、第２、第３粘着面はベルクロを使用しても良い。
【図面の簡単な説明】
【００１８】
【図１】公知技術の立体概略図である。
【図２】公知技術の使用態様図である。
【図３】本考案の腕帯の改良構造の立体概略図である。
【図４】本考案の腕帯を細い上腕に巻き付ける実施例の概略図である。
【図５】本考案の腕帯を太い上腕に巻き付ける実施例の概略図である。
【符号の説明】
【００１９】
１０    空気袋
１１    コネクタ
２０    帯体
２００  腕帯
２０１  締結リング
２１    第１貼り付け面
２２    第２貼り付け面
２３    第３貼り付け面
３０    第１貼り付け部
４０    第２貼り付け部
【図１】
0003129027.tif 000003
【図２】
0003129027.tif 000004
【図３】
0003129027.tif 000005
【図４】
0003129027.tif 000006
【図５】
0003129027.tif 000007